(57)【要約】【課題】レーザ光源の発光強度を精度良く調整することが可能な光ピックアップ及び光ディスク装置を提供することを目的とする。【解決手段】波長の異なるレーザ光を発する複数の光源を用いて、光ディスクに対してレーザ光を照射して情報の記録もしくは再生の少なくとも一方を行なう光ピックアップであって、光学経路として、光源１から発せられる拡散光を平行光に変換するコリメータレンズ１００が光源１とビームスプリッタプレート１０１の間にあるとき、ビームスプリッタプレート１０１の主平面部１０１ａの表面に粗面１０１Ｃを設けたことを特徴とするか、またはビームスプリッタプレート１０１の受光センサ１０２側主平面部１０１ａとコリメータレンズ１００側主平面部１０１ｂの少なくとも一部を非平行としたことを特徴とした光ピックアップ及び光ディスク装置である。【選択図】図４
2005332433.tif 000002
【特許請求の範囲】
【請求項１】
波長の異なるレーザ光を発する複数の光源を用いて、光ディスクに対してレーザ光を照射して情報の記録もしくは再生の少なくとも一方を行なう光ピックアップであって、光学経路として、光源から発せられる拡散光を平行光に変換するコリメータレンズが光源とビームスプリッタプレートの間にあるとき、ビームスプリッタプレートの主平面部表面の少なくとも一部に粗面を設けたことを特徴とする光ピックアップ。
【請求項２】
前記粗面は、ビームスプリッタプレートの受光センサ側の主平面部に設けられたことを特徴とする請求項１記載の光ピックアップ。
【請求項３】
前記粗面は、中心線平均粗さＲａが０．１μｍ以上３．０μｍ以下のものである請求項２記載の光ピックアップ。
【請求項４】
波長の異なるレーザ光を発する複数の光源を用いて、光ディスクに対してレーザ光を照射して情報の記録もしくは再生の少なくとも一方を行なう光ピックアップであって、光学経路として、光源から発せられる拡散光を平行光に変換するコリメータレンズが光源とビームスプリッタプレートの間にあるとき、ビームスプリッタプレートの受光センサ側の主平面部とコリメータレンズ側の主平面部の少なくとも一部を非平行としたことを特徴とする光ピックアップ。
【請求項５】
前記ビームスプリッタプレートの受光センサ側の主平面部とコリメータレンズ側の主平面部の非平行度は１度以上６０度以下であることを特徴とする請求項４記載の光ピックアップ。
【請求項６】
波長の異なるレーザ光を発する複数の光源を用いて、光ディスクに対してレーザ光を照射して情報の記録もしくは再生の少なくとも一方を行なう光ピックアップであって、光学経路として、光源から発せられる拡散光を平行光に変換するコリメータレンズが光源とビームスプリッタプレートの間にあるとき、ビームスプリッタプレートの主平面部表面の少なくとも一部に光拡散面を設けたことを特徴とする光ピックアップ。
【請求項７】
波長の異なるレーザ光を発する複数の光源を用いて、光ディスクに対してレーザ光を照射して情報の記録もしくは再生の少なくとも一方を行なう光ピックアップであって、光学経路として、光源から発せられる拡散光を平行光に変換するコリメータレンズが光源とビームスプリッタプレートの間にあるとき、ビームスプリッタプレートの主平面部表面の少なくとも一部に光角度変換面を設けたことを特徴とする光ピックアップ。
【請求項８】
請求項１から請求項７のいずれかに記載の光ピックアップを用いたことを特徴とする光ディスク装置。
【発明の詳細な説明】
【技術分野】
【０００１】
本発明は、パーソナルコンピュータ，ノートブック型コンピュータ，モバイル端末機器などの電子機器に搭載される光ディスク装置及びその光ディスク装置に好適に用いられる光ピックアップに関するものである。
【背景技術】
【０００２】
光学記録媒体として、ＤＶＤ（Digital Versatile Disc）、ＣＤ−Ｒ（書き込み可能なコンパクトディスク）、ＣＤ−ＲＷ（書き換え可能なコンパクトディスク）等の種々の光ディスクが開発されている。ＤＶＤにおいては、波長約６５０ｎｍのレーザ光により情報の記録または再生が行われる。一方、ＣＤ−ＲやＣＤ−ＲＷにおいては、波長約７８０ｎｍのレーザ光により情報の記録または再生が行われる。このような複数種類の光ディスクに対して情報の記録または再生を行う光ディスク装置が提案されている。
【０００３】
また、このような光ディスク装置の光ピックアップには、複数の異なる波長の光束を出射するレーザ素子を備えており、複数種類の光ディスクに対して情報の記録または再生の少なくとも一方を行うことが可能となる。なお、複数の異なる波長の光束を出射するレーザ素子を備えた光ピックアップとしては、例えば、（特許文献１）に開示されている。
【特許文献１】特開２００１−３０７３６７号公報
【発明の開示】
【発明が解決しようとする課題】
【０００４】
このような複数の異なる波長の光束を出射するレーザ素子を備えた光ピックアップは、現在様々な改良がなされている。ここで、光ピックアップの光学系の一例を示す図を図９に示す。
【０００５】
図９において、光源１から出射された光は光学部材４，５を通過してコリメータレンズ１００に入射し、ビームスプリッタプレート１０（ＢＳプレート）で反射され、立ち上げプリズム１０３に導かれる。この時、ＢＳプレート１０では、出射された光の一部が透過し、光源１の光量をモニターする受光センサ１０２に導かれ、受光センサ１０２の出力によって光源１の発光パワーが調整される。
【０００６】
ビームスプリッタプレート１０からの光は、立ち上げプリズム１０３の面１０３ａで反射し、面１０３ｂで更に反射して、面１０３ａを透過して液晶を挟み込んだホログラム１０４に入射し対物レンズ１０５に導かれ、光ディスク１０６に集光される。光ディスク１０６で反射した光は対物レンズ１０５，ホログラム１０４を経由して立ち上げプリズム１０３に導かれ、面１０３ａを通過し、面１０３ｂで反射し更にその後面１０３ａで反射しビームスプリッタプレート１０に導かれ、ビームスプリッタプレート１０で反射しコリメータレンズ１００を通過し光学部材５に入射され、受光素子２に到達する。
【０００７】
このような構成の光ピックアップにおいては、光学経路上、コリメータレンズ１００が光源１とビームスプリッタプレート１０の間にあるため、フォーカス距離を短くでき、またレーザの利用効率が向上するため、光ピックアップの小型化や光ピックアップ自身の発熱量を低減することができるという長所がある。
【０００８】
このように、図９で示した光ピックアップでは、従来の技術に比して優れた点を有しているものの、更なる改善が望まれている。上述の構成の光ピックアップにおいては、光源から出射された拡散光をビームスプリッタプレートを通過する前にコリメータレンズで平
行光に変換するため、ビームスプリッタプレートを通過する平行光の一部がビームスプリッタプレートの受光センサ側の主平面部で反射を起こし、更に、ビームスプリッタプレートのコリメータレンズ側の主平面部で反射され、その反射光の一部が、本来受光センサに届くべき光に対して光の干渉を起こしていた。そのため、受光センサは、この干渉光を含んだ誤った情報を受光し、光源の発光パワーの調整を行なうため、光源の発光パワーの調整には少なからず、この干渉光による影響の誤差を含んでいた。
【０００９】
本発明は、上記の課題を解決するためになされたもので、一方のレーザ光源が記録もしくは再生の少なくとも一方に使用され、他方のレーザ光源が再生のみに使用される場合であって、レーザ光源の発光強度を精度良く調整することが可能な光ピックアップ及び光ディスク装置を提供することを目的とする。
【課題を解決するための手段】
【００１０】
本発明は上記課題を解決するためになされたものであり、波長の異なるレーザ光を発する複数の光源を用いて、光ディスクに対してレーザ光を照射して情報の記録もしくは再生の少なくとも一方を行なう光ピックアップであって、光学経路として、光源１から発せられる拡散光を平行光に変換するコリメータレンズが光源とビームスプリッタプレートの間にあるとき、ビームスプリッタプレートの主平面部表面の少なくとも一部に粗面を設けたことを特徴とする光ピックアップ及び光ディスク装置である。
【発明の効果】
【００１１】
本発明は上記構成により、光源から出射された光がビームスプリッタプレートを通過する際にビームスプリッタプレート内部で発生する反射光の発生を抑えることができるため、受光センサは前記反射光に起因する干渉光を含んだ誤った情報を受光することを低減することができ、光ディスクに対して情報の記録もしくは再生の少なくとも一方を行なうレーザ光源の発光強度を精度良く調整することが可能な光ピックアップ及び光ディスク装置を提供することを目的とする。
【発明を実施するための最良の形態】
【００１２】
請求項１記載の発明は、波長の異なるレーザ光を発する複数の光源を用いて、光ディスクに対してレーザ光を照射して情報の記録もしくは再生の少なくとも一方を行なう光ピックアップであって、光学経路として、光源１から発せられる拡散光を平行光に変換するコリメータレンズが、光源とビームスプリッタプレートの間にあるとき、ビームスプリッタプレートの主平面部表面の少なくとも一部に粗面を設けたことを特徴とする光ピックアップであり、光源から出射された光がビームスプリッタプレートを通過する際にビームスプリッタプレート内部で発生する反射光の発生を抑えることができるため、受光センサは反射光に起因する干渉光を含んだ誤った情報を受光することを低減することができ、光ディスクに対して情報の記録もしくは再生の少なくとも一方を行なうレーザ光源の発光強度を精度良く調整することができる。
【００１３】
請求項２記載の発明は、粗面がビームスプリッタプレートの受光センサ側の主平面部に設けられたことを特徴とする請求項１記載の光ピックアップであり、ビームスプリッタプレートで反射され立ち上げプリズムへ導かれる光を損失することなく、ビームスプリッタプレート内部で発生する反射光の発生を抑えることができるため、受光センサは反射光に起因する干渉光を含んだ誤った情報を受光することを低減することができ、光ディスクに対して情報の記録もしくは再生の少なくとも一方を行なうレーザ光源の発光強度を精度良く調整することができる。
【００１４】
請求項３記載の発明は、粗面が中心線平均粗さＲａとして０．１μｍ以上３．０μｍ以下のものである請求項２記載の光ピックアップであり、ビームスプリッタプレート内部で
発生する反射光の発生を効率良く抑えることができるため、受光センサは反射光に起因する干渉光を含んだ誤った情報を受光することを低減することができ、光ディスクに対して情報の記録もしくは再生の少なくとも一方を行なうレーザ光源の発光強度を精度良く調整することができる。
【００１５】
請求項４記載の発明は、波長の異なるレーザ光を発する複数の光源を用いて、光ディスクに対してレーザ光を照射して情報の記録もしくは再生の少なくとも一方を行なう光ピックアップであって、光学経路として、光源から発せられる拡散光を平行光に変換するコリメータレンズが光源とビームスプリッタプレートの間にあるとき、ビームスプリッタプレートの受光センサ側の主平面部とコリメータレンズ側の主平面部の少なくとも一部を非平行としたことを特徴とした光ピックアップであり、光源から出射された光がビームスプリッタプレートを通過する際にビームスプリッタプレート内部で発生する反射光は、ビームスプリッタプレートの受光センサ側の主平面部とコリメータレンズ側の主平面部の少なくとも一部が非平行のため、受光センサへ導かれる主たる光とは異なる経路を通り、受光センサ以外の部分へ到達するため、受光センサは反射光に起因する干渉光を含んだ誤った情報を受光することを低減することができ、光ディスクに対して情報の記録もしくは再生の少なくとも一方を行なうレーザ光源の発光強度を精度良く調整することができる。
【００１６】
請求項５記載の発明は、ビームスプリッタプレートの受光センサ側の主平面部とコリメータレンズ側の主平面部の非平行度は１度以上６０度以下である請求項４記載の光ピックアップであり、ビームスプリッタプレートの受光センサ側の主平面部とコリメータレンズ側の主平面部が非平行のため、受光センサへ導かれる主たる光とは異なる経路を通り、受光センサ以外の部分へ到達させることを効率よく行なうことができるため、受光センサは反射光に起因する干渉光を含んだ誤った情報を受光することを低減することができるので、光ディスクに対して情報の記録もしくは再生の少なくとも一方を行なうレーザ光源の発光強度を精度良く調整することができる。
【００１７】
請求項６記載の発明は、波長の異なるレーザ光を発する複数の光源を用いて、光ディスクに対してレーザ光を照射して情報の記録もしくは再生の少なくとも一方を行なう光ピックアップであって、光学経路として、光源から発せられる拡散光を平行光に変換するコリメータレンズが、光源とビームスプリッタプレートの間にあるとき、ビームスプリッタプレートの主平面部表面の少なくとも一部に光拡散面を設けたことを特徴とする光ピックアップであり、光源から出射された光がビームスプリッタプレートを通過する際にビームスプリッタプレート内部で発生する反射光を拡散することができるため、受光センサは反射光が一方向に反射することに起因する干渉光を含んだ誤った情報を受光することを低減することができ、光ディスクに対して情報の記録もしくは再生の少なくとも一方を行なうレーザ光源の発光強度を精度良く調整することができる。
【００１８】
請求項７記載の発明は、波長の異なるレーザ光を発する複数の光源を用いて、光ディスクに対してレーザ光を照射して情報の記録もしくは再生の少なくとも一方を行なう光ピックアップであって、光学経路として、光源から発せられる拡散光を平行光に変換するコリメータレンズが、光源とビームスプリッタプレートの間にあるとき、ビームスプリッタプレートの主平面部表面の少なくとも一部に光角度変換面を設けたことを特徴とする光ピックアップであり、光源から出射された光がビームスプリッタプレートを通過する際にビームスプリッタプレート内部で発生する反射光の進行角度を変換することができるため、受光センサは反射光が一方向に進行することに起因する干渉光を含んだ誤った情報を受光することを低減することができ、光ディスクに対して情報の記録もしくは再生の少なくとも一方を行なうレーザ光源の発光強度を精度良く調整することができる。
【００１９】
請求項８記載の発明は、請求項１から請求項７のいずれかに記載の光ピックアップを用
いた光ディスク装置であり、波長の異なるレーザ光を発する複数の光源を用いて、光ディスクに対してレーザ光を照射して情報の記録もしくは再生の少なくとも一方を行なう光ピックアップであって、光ディスクに対して情報の記録もしくは再生の少なくとも一方を行なうレーザ光源の発光強度を精度良く調整することができる。
【００２０】
以下、本発明の一実施の形態について、図面を参照しながら説明する。
【００２１】
（実施の形態１）
図１は本発明の実施の形態１における光ピックアップの光学系構成を示す図である。また、図２は本発明の実施の形態１における光ピックアップの構成部品を示す図であり、図２（ａ）は光ピックアップの構成部品を示し、図２（ｂ）はこれらの構成部品を組み込んでキャリッジを形成したものを示す。
【００２２】
なお、図１で示す本発明の実施の形態１における光ピックアップの光学系構成は、図９で示した光ピックアップの光学系構成と同様であるが、以下詳述するビームスプリッタプレート１０１（図９においては、ビームスプリッタプレート１０）の構成が異なる。
【００２３】
光源１には、波長約７８０ｎｍのレーザ光を発するＣＤ用の半導体レーザと、波長約６５０ｎｍのレーザ光を発するＤＶＤ用の半導体レーザとが収納されている。図１においては、ＣＤ用レーザ光の光路を破線で示し、ＤＶＤ用レーザ光の光路を実線で示す。図１に示す光学部材４、５は、図２に示す結合ベース３内に固定されている。
【００２４】
光源１から出射された光は光学部材４，５を通過してコリメータレンズ１００に入射し、ビームスプリッタプレート１０１（ＢＳプレート）で反射され、立ち上げプリズム１０３に導かれる。この時、ＢＳプレート１０１では、出射された光の一部が透過し、光源１の光量をモニターする受光センサ１０２に導かれ、受光センサ１０２の出力によって光源１の発光パワーが調整される。
【００２５】
ビームスプリッタプレート１０１からの光は、立ち上げプリズム１０３の面１０３ａで反射し、面１０３ｂで更に反射して、面１０３ａを透過して液晶を挟み込んだホログラム１０４に入射し対物レンズ１０５に導かれ、光ディスク１０６に集光される。光ディスク１０６で反射した光は対物レンズ１０５，ホログラム１０４を経由して立ち上げプリズム１０３に導かれ、面１０３ａを通過し、面１０３ｂで反射し更にその後面１０３ａで反射しビームスプリッタプレート１０１に導かれ、ビームスプリッタプレート１０１で反射しコリメータレンズ１００を通過し光学部材５に入射され、受光素子２に到達する。
【００２６】
ビームスプリッタプレート１０１には、波長依存性を有する透過特性を持つ光学膜が形成されており、この光学膜をＣＤ用レーザ光とＤＶＤ用レーザ光が透過することにより、受光センサ１０２により受光されるレーザ光の強度が調整される。
【００２７】
以下、本発明の実施の形態１の特徴部分について説明する。
【００２８】
図３は、本発明の実施の形態１における光ピックアップのビームスプリッタプレートを示す図であり、光源１から発せられる拡散光を平行光に変換するコリメータレンズ１００が、光学経路として、光源１とビームスプリッタプレート１０１の間にあるとき、ビームスプリッタプレート１０１の主平面部１０１ａに粗面１０１Ｃを設けたことを示した図である。
【００２９】
光源１から出射された拡散光は、コリメータレンズ１０１を通過することにより平行光に変換され、その平行光はビームスプリッタプレート１０１のコリメータレンズ１００側
主平面部１０１ｂから入射し、ビームスプリッタプレート１０１の中を通過し、受光センサ１０２側主平面部１０１ａへ到達する。
【００３０】
ビームスプリッタプレート１０１は、略５ｍｍ四方で厚み３ｍｍ程度の略直方体形状であり、材料としてはホウケイクラウン硝子などのガラス材料が好ましく用いられる。
【００３１】
ここで、ビームスプリッタプレート１０１の主平面部１０１ａもしくは１０１ｂの少なくとも一方の表面に少なくとも一部の粗面１０１Ｃを設ける。
【００３２】
本実施の形態では、ビームスプリッタプレート１０１の受光センサ１０２側主平面部１０１ａに粗面１０１Ｃを設け、粗面１０１Ｃの表面粗さは中心線平均粗さＲａで０．１〜３．０μｍとし、ビームスプリッタプレート１０１の受光センサ１０２側主平面部１０１ａの全面に設けた。粗面１０１Ｃは光の散乱もしくは拡散もしくは一部の光の進行角度を変換することが可能である。通常、ビームスプリッタプレート１０１表面の中心線平均粗さＲａは０．０１μｍ以下の鏡面処理であり、Ｒａが小さくなると透過光、反射光とも増え、Ｒａが大きくなると透過光、反射光とも減る。
【００３３】
ここで、従来のビームスプリッタプレート１０１の受光センサ１０２側主平面部１０１ａに粗面１０１Ｃが無い場合のビームスプリッタプレート１０１を通過する光路について説明する。
【００３４】
図７は従来の形態における光ピックアップの光学系構成を示す図であり、光源１から出射された光は光学部材４，５を通過してコリメータレンズ１００に入射し、ビームスプリッタプレート１０１で反射され、立ち上げプリズム１０３に導かれる。この時、ＢＳプレート１０１では、出射された光の一部が透過し、光源１の光量をモニターする受光センサ１０２に導かれ、受光センサ１０２の出力によって光源１の発光パワーが調整されるのであるが、ここではビームスプリッタプレート１０１で出射された光の一部が透過し、光源１の光量をモニターする受光センサ１０２に導かれ、受光センサ１０２の出力によって光源１の発光パワーが調整される部分のみを抽出して説明する。また、光の通る光路がわかるように、大きくコリメータレンズ中央部付近から出る光（Ａ）とコリメータレンズ周辺部付近から出る光（Ｂ）に分けて示した。
【００３５】
コリメータレンズ１００中央部から出た光（Ａ）は、ビームスプリッタプレート１０１のコリメータレンズ１００側主平面部１０１ｂの中央部から入射し、ビームスプリッタプレート１０１の中を透過後、ビームスプリッタプレート１０１の受光センサ１０２側主平面部１０１ａの中央部から出射し、受光センサ１０２へ導かれる（Ａ１、Ａ２、Ａ３の順に通過）。一方、例えば、コリメータレンズ１００周辺部から出た光（Ｂ）は、ビームスプリッタプレート１０１のコリメータレンズ１００側主平面部１０１ｂの周辺部から入射し、ビームスプリッタプレート１０１の中を透過後、ビームスプリッタプレート１０１の受光センサ１０２側主平面部１０１ａへ到達する（Ｂ１、Ｂ２の順に通過）。ここで、ビームスプリッタプレート１０１の主平面部１０１ｂに達した光の一部が反射により、ビームスプリッタプレート１０１のコリメータレンズ１００側主平面部１０１ｂに戻り、更にビームスプリッタプレート１０１のコリメータレンズ１００側主平面部１０１ｂで反射され、ビームスプリッタプレート１０１の中を透過後、ビームスプリッタプレート１０１の受光センサ１０２側主平面部１０１ｂの中央部から出射し、受光センサ１０２へ導かれる（Ｂ３、Ｂ４、Ｂ５の順に通過）。このとき、コリメータレンズ中央部から出た光（Ａ）とコリメータレンズ周辺部から出た光（Ｂ）の受光センサ１０２に達するまでの光路が異なるため、コリメータレンズ中央部から出た光（Ａ）は位相違いによる光の干渉を受け、受光センサ１０２に誤った情報を与える。
【００３６】
ところが、図４の本発明の実施の形態１における光ピックアップの光学系構成を示す図に示したビームスプリッタプレート１０１の受光センサ１０２側主平面部に粗面１０１Ｃを設けている本実施の形態では、粗面１０１Ｃがあることにより、コリメータレンズ１００周辺部から出た光（Ｂ）は、ビームスプリッタプレート１０１のコリメータレンズ１００側主平面部１０１ｂの周辺部から入射し、ビームスプリッタプレート１０１の中を透過後、ビームスプリッタプレート１０１の受光センサ１０２側主平面部１０１ａへ到達（Ｂ１、Ｂ２の順に通過）、粗面１０１Ｃが設けられたビームスプリッタプレート１０１の受光センサ側主平面部１０１ａ表面で、その主平面部１０１ａを透過する光および反射する光の双方とも散乱もしくは拡散、もしくは反射する光の進行角度を変換するが、光量として弱い反射光は散乱もしくは拡散、もしくは進行角度を変換する時の光量の減衰が著しく大きくなり、干渉光としての影響が著しく小さくなる（Ｂ３、Ｂ４、Ｂ５を通過する光がほとんどなくなる）。そのため、光源から出射された光がビームスプリッタプレートを通過する際にビームスプリッタプレート内部で発生する反射光の発生を抑えることができ、受光センサは前記反射光に起因する光の干渉を含んだ誤った情報を受光することを低減することができ、光ディスクに対して情報の記録もしくは再生の少なくとも一方を行なうレーザ光源の発光強度を精度良く調整することが可能な光ピックアップを実現することができる。
【００３７】
なお、本実施の形態では、粗面１０１Ｃの中心線平均粗さＲａを０．１〜３．０μｍとし、ビームスプリッタプレート１０１の受光センサ側主平面部１０１ａの全面に設けたが、粗面１０１Ｃを設ける範囲は、ビームスプリッタプレート１０１の受光センサ１０２側の主平面部１０１ａもしくはビームスプリッタプレート１０１のコリメータレンズ１００側の主平面部１０１ｂの少なくとも一方の受光センサ１０２へ向かう平行光が通過する部分を覆えば良いので、粗面１０１Ｃは、ビームスプリッタプレート１０１の主平面部１０１ａ、１０１ｂのいずれか一方もしくは主平面部１０１ａ、１０１ｂ両方に設けても良く、また、粗面１０１Ｃを設ける領域は受光センサ１０２へ向かう平行光が通過する一部分でもよい。光の干渉を限りなく小さくしようと思えば、粗面１０１Ｃを設ける領域が光センサ１０２へ向かう平行光が通過する全面を覆い、反射光の減衰を大きくすることが好ましい。また、粗面１０１Ｃの中心線平均粗さＲａは０．１〜３．０μｍの範囲が最も透過光の量と反射光の減衰が両立する範囲であるが、ビームスプリッタプレート１０１を構成する材料によっては、粗面１０１Ｃの中心線平均粗さＲａの範囲をずらした方が良い場合がある。
【００３８】
さらにまた、ビームスプリッタプレート１０１の主平面部１０１ａ、１０１ｂに設けられる粗面１０１Ｃは、粗面１０１Ｃと同等の中心線平均粗さＲａを持つ膜などの別部材で構成してもよい。
【００３９】
図６は本発明の実施の形態１における光ピックアップを用いた光ディスク装置を示す図を示す。図６において、２００は筐体で、筐体２００は上部筐体部２００ａと下部筐体部２００ｂを組み合わせて構成されている。なお、上部筐体部２００ａと下部筐体部２００ｂとは螺旋などを用いて、互いに固着されている。２０１は筐体２００に出没自在に設けられたトレイ、２０２はトレイ２０１に設けられたスピンドルモータ、２０３は光ピックアップで、光ピックアップ２０３は、光ディスクに情報を書き込むか或いは情報を読み出す動作の少なくとも一方を行う。また、光ピックアップ２０３は、光ディスクの半径方向に移動可能に保持されたキャリッジ（図示せず）に搭載されている。２０４はトレイ２０１の前端面に設けられたベゼルで、ベゼル２０４はトレイ２０１が筐体２００内に収納された時に、トレイ２０１の出没口２０５を塞ぐように構成されている。
【００４０】
２０６，２０７はそれぞれトレイ２０１及び筐体２００の双方に摺動自在に取り付けられたレールで、トレイ２０１の両側部にこのレール２０６，２０７は設けられており、こ
のレール２０６，２０７にて矢印Ｐ方向に筐体２００からトレイ２０１が出没自在に取り付けられている。
【００４１】
トレイ２０１の前端面に設けられたベゼル２０４にはイジェクトスイッチ２０８が設けられており、このイジェクトスイッチ２０８を押すことで、筐体２００に設けられた係合部（図示せず）とトレイ２０１に設けられた係合部（図示せず）との係合を解除する。
【００４２】
（実施の形態２）
ビームスプリッタプレート１０１の受光センサ１０２側の主平面部１０１ａとコリメータレンズ１００側の主平面部１０１ｂの少なくとも一部を非平行とする場合について説明する。
【００４３】
図５は、本発明の実施の形態２における光ピックアップの光学系構成を示す図であり、光源１から発せられる拡散光を平行光に変換するコリメータレンズ１００が、光学経路上、光源１とビームスプリッタプレート１０１の間にあるとき、ビームスプリッタプレート１０１の受光センサ１０２側主平面部１０１ａとコリメータレンズ１００側主平面部１０１ｂを非平行としたものであり、光ピックアップ及び光ディスク装置全体の構成は実施の形態１と同様である。
【００４４】
以下、本発明の実施の形態２の特徴部分について説明する。
【００４５】
光源１から出射された拡散光は、コリメータレンズ１００を通過することにより平行光に変換され、その平行光はビームスプリッタプレート１０１のコリメータレンズ１００側主平面部１０１ｂから入射し、ビームスプリッタプレート１０１の中を通過し、受光センサ１０２側主平面部１０１ａへ到達する。
【００４６】
ビームスプリッタプレート１０１は、略５ｍｍ四方で厚み３ｍｍ程度の略直方体形状であり、材料としてはホウケイクラウン硝子などのガラス材料が好ましく用いられる。
【００４７】
ここで、ビームスプリッタプレート１０１の受光センサ１０２側主平面部１０１ａとコリメータレンズ１００側主平面部１０１ｂの少なくとも一部を非平行とする。
【００４８】
本実施の形態では、ビームスプリッタプレート１０１のコリメータレンズ１００側主平面部１０１ｂと受光センサ１０２側主平面部１０１ａの全面の非平行度を１度以上６０度以下の範囲とした。ここでいう非平行度とは、ビームスプリッタプレート１０１のコリメータレンズ１００側主平面部１０１ｂと受光センサ１０２側主平面部１０１ａが平行である場合を０度とし、そこから回転する角度を非平行度とした。通常、ビームスプリッタプレート１０１のコリメータレンズ１００側主平面部１０１ｂと受光センサ１０２側主平面部１０１ａは平行が基本であり、非平行度が大きくなるとコリメータレンズ１００から受光センサ１０２に向かう光が減少し、非平行度が小さくなるとコリメータレンズ１００から受光センサ１０２に向かう光が増大し、非平行度０度で最大となる。
【００４９】
ここで、従来のビームスプリッタプレート１０１のコリメータレンズ１００側主平面部１０１ｂと受光センサ側主平面部１０１ａが平行の場合つまり非平行度０の場合について説明する。
【００５０】
図７は従来の形態における光ピックアップの光学構成を示す図であり、光源１から出射された光は光学部材４，５を通過してコリメータレンズ１００に入射し、ビームスプリッタプレート１０１で反射され、立ち上げプリズム１０３に導かれる。この時、ＢＳプレート１０１では、出射された光の一部が透過し、光源１の光量をモニターする受光センサ１
０２に導かれ、受光センサ１０２の出力によって光源１の発光パワーが調整されるのであるが、ここではビームスプリッタプレート１０１で出射された光の一部が透過し、光源１の光量をモニターする受光センサ１０２に導かれ、受光センサ１０２の出力によって光源１の発光パワーが調整される部分のみを抽出して説明する。また光の通る光路がわかるように、大きくコリメータレンズ１００中央部付近から出る光（Ａ）とコリメータレンズ１００周辺部付近から出る光（Ｂ）に分けて示した。光路については、実施の形態１に示したものと同様であり、コリメータレンズ１００中央部から出た光（Ａ）とコリメータレンズ１００周辺部から出た光（Ｂ）の受光センサ１０２に達するまでの光路が異なるため、コリメータレンズ１００中央部から出た光（Ａ）は位相違いによる光の干渉を受け、受光センサ１０２に誤った情報を与える。
【００５１】
ところが、図５の本発明の実施の形態２における光ピックアップの光学系構成を示す図において、ビームスプリッタプレート１０１の受光センサ１０２側主平面部１０１ａとコリメータレンズ１００側主平面部１０１ｂを非平行度１度以上６０度未満とした本実施の形態では、ビームスプリッタプレート１０１のコリメータレンズ１００側主平面部１０１ｂと受光センサ側主平面部１０１ａが非平行であることにより、コリメータレンズ１００周辺部から出た光（Ｂ）は、ビームスプリッタプレート１０１のコリメータレンズ１００側主平面部１０１ｂの周辺部から入射し、ビームスプリッタプレート１０１の中を透過後、ビームスプリッタプレート１０１の受光センサ１０２側主平面部１０１ｂへ到達（Ｃ１、Ｃ２の順に通過）、ビームスプリッタプレート１０１の受光センサ１０２側主平面部１０１ａ表面でその主平面部１０１ａ表面で一部の光が、ビームスプリッタプレート１０１の受光センサ１０２側主平面部１０１ａで反射を起こし、更に、ビームスプリッタプレート１０１のコリメータレンズ１００側主平面部で反射されるが、受光センサ１０２へ導かれる主たる光とは異なる経路を通るため、受光センサ１０２以外の部分へ到達させる（Ｃ３、Ｃ４、Ｃ５の順に通過）。また、ビームスプリッタプレート１０１の中央付近を反射した光が反射を繰り返し、仮に受光センサ１０２に入ったとしても、反射光がビームスプリッタプレート１０１の主平面部１０１ａ、１０１ｂで反射を繰り返す際に、反射光の周波数が受光センサで受光できる周波数帯域外に変化する。
【００５２】
そのため、光源１から出射された光がビームスプリッタプレート１０１を通過する際にビームスプリッタプレート１０１内部で発生する反射光が受光センサ１０２に届くことがないかもしくは受光センサ１０２で受光できる周波数帯域外に変化しているため、受光センサ１０２は前記反射光に起因する光の干渉を含んだ誤った情報を受光することを低減することができ、光ディスクに対して情報の記録もしくは再生の少なくとも一方を行なうレーザ光源の発光強度を精度良く調整することが可能な光ピックアップを実現することができる。
【００５３】
なお、本実施の形態では、ビームスプリッタプレート１０１のコリメータレンズ１００側主平面部１０１ｂと受光センサ１０２側主平面部１０１ａの全面の非平行度を１度以上６０度以下の範囲としたが、非平行にする範囲は、ビームスプリッタプレート１０１の受光センサ１０２側の主平面部１０１ａもしくはビームスプリッタプレート１０１のコリメータレンズ１００側の主平面部１０１ｂの少なくとも一方の受光センサ１０２へ向かう平行光が通過する部分を非平行にすれば良いので、非平行にする範囲は受光センサ１０２へ向かう平行光が通過する一部分でもよい。光の干渉を限りなく小さくしようと思えば、非平行にする領域が受光センサ１０２へ向かう平行光が通過する全面を覆い、反射光の減衰を大きくすることが好ましい。また例えば、本実施の形態ではビームスプリッタプレート１０１の形状を図５に示すような略台形柱として非平行部を形成したが、図８のビームスプリッタプレートの形状を示す図に示したように、図８（ａ）の円弧形状や図８（ｂ）、図８（ｃ）の鋸歯形状で非平行部を形成しても良い。また、ビームスプリッタプレート１０１のコリメータレンズ１００側主平面部１０１ｂと受光センサ１０２側主平面部１０１
ａの非平行度は１度以上６０度以下の範囲が最も透過光の量と反射光の減衰が両立する範囲であるが、ビームスプリッタプレート１０１を構成する材料によっては、この平行度をずらした方が良い場合がある。
【００５４】
さらにまた、本実施の形態２は実施の形態１と共に用いることも可能であり、その場合、ビームスプリッタプレート１０１の受光センサ１０２側主平面部１０１ａとコリメータレンズ１００側主平面部１０１ｂの少なくとも一部を非平行とするための角度は小さくなる。
【００５５】
図６は本発明の一実施の形態における光ピックアップを用いた光ディスク装置を示す図である。
【００５６】
光源１から発せられる拡散光を平行光に変換するコリメータレンズが、光学経路上、光源とビームスプリッタプレートの間にあるとき、ビームスプリッタプレートの受光センサ側の主平面部とコリメータレンズ側の主平面部の少なくとも一部を非平行としたものであり、光ピックアップ及び光ディスク装置全体の構成は実施の形態１と同様である。
【産業上の利用可能性】
【００５７】
本発明は、パーソナルコンピュータ，ノートブック型コンピュータ，モバイル端末機器などの電子機器に搭載される光ディスク装置及びその光ディスク装置に好適に用いられる光ピックアップとして利用することができ、レーザ光源の発光強度を精度良く調整することができる光ディスク装置を実現することができる。
【図面の簡単な説明】
【００５８】
【図１】本発明の実施の形態１における光ピックアップの光学系構成を示す図
【図２】本発明の実施の形態１における光ピックアップの構成部品を示す図
【図３】本発明の実施の形態１における光ピックアップのビームスプリッタプレートを示す図
【図４】本発明の実施の形態１における光ピックアップの光学系構成を示す図
【図５】本発明の実施の形態２における光ピックアップの光学系構成を示す図
【図６】本発明の実施の形態１における光ピックアップを用いた光ディスク装置を示す図
【図７】従来の形態における光ピックアップの光学系構成を示す図
【図８】ビームスプリッタプレートの形状を示す図
【図９】光ピックアップの光学系の一例を示す図
【符号の説明】
【００５９】
１    光源
２    受光素子
３    結合ベース
４    光学部材
５    光学部材
１０    ビームスプリッタプレート
１００    コリメータレンズ
１０１    ビームスプリッタプレート
１０１ａ、１０１ｂ    主平面部
１０２    受光センサ
１０３    立ち上げプリズム
１０３ａ、１０３ｂ    面
１０４    ホログラム
１０５    対物レンズ
１０６    光ディスク
２００    筐体
２００ａ    上部筐体部
２００ｂ    下部筐体部
２０１    トレイ
２０２    スピンドルモータ
２０３    光ピックアップ
２０４    ベゼル
２０５    出没口
２０６、２０７    レール
２０８    イジェクトスイッチ
【図１】
2005332433.tif 000003
【図２】
2005332433.tif 000004
【図３】
2005332433.tif 000005
【図４】
2005332433.tif 000006
【図５】
2005332433.tif 000007
【図６】
2005332433.tif 000008
【図７】
2005332433.tif 000009
【図８】
2005332433.tif 000010
【図９】
2005332433.tif 000011